(57)【要約】【課題】  本発明は、テレビジョン受像機及びテレビジョン放送の受信方法に関し、例えばテレビジョン放送の受信機能を有するカーナビゲーション装置、ＰＤＡ（Personal Digital Assistants ）等に適用して、移動体に搭載された場合等にあっても、所望する番組を簡易かつ確実に選択することができるようにする。【解決手段】  本発明は、ユーザーに番組を提供していない期間の間、順次チャンネルを切り換えて受信可能なテレビジョン放送よりサムネイル画像を作成すると共に、このサムネイル画像によるメニューを表示してユーザーによるチャンネルの選択を受け付ける。【選択図】        図１
2005064994.tif 000002
【特許請求の範囲】
【請求項１】
テレビジョン放送を受信してビデオデータ及びオーディオデータを出力する受信手段と、
前記ビデオデータによる映像を表示する表示手段と、
前記オーディオデータによる音声を出力する音声出力手段と、
前記ビデオデータよりサムネイル画像を生成するビデオデータ処理手段と、
前記表示手段に表示したメニューの選択を受け付ける入力手段と、
前記受信手段、前記表示手段、前記音声出力手段、前記ビデオデータ処理手段の動作を制御する制御手段とを備え、
前記制御手段は、
前記テレビジョン放送の番組をユーザーに提供していない期間の間、
前記受信手段による受信チャンネルを順次、循環的に切り換えて、前記ビデオデータ処理手段において受信可能なチャンネルの前記サムネイル画像を取得し、
前記表示手段に前記サムネイル画像による受信可能なチャンネルのメニューを表示し、
前記入力手段による前記メニューの選択により、対応するテレビジョン放送の番組の前記ユーザーへの提供を開始するように、前記受信手段、前記表示手段、前記音声出力手段を制御する
ことを特徴とするテレビジョン受像機。
【請求項２】
前記制御手段は、
前記受信可能なチャンネルで受信される放送中の前記番組に係るデータより、前記サムネイル画像と共にサービス名及び又は放送局名を表示して前記メニューを形成する
ことを特徴とする請求項１に記載のテレビジョン受像機。
【請求項３】
前記テレビジョン放送の番組をユーザーに提供していない期間が、他の処理に係る表示を前記表示手段で表示している期間であり、
前記制御手段は、
前記他の処理に係る表示と共に、前記メニューを前記表示手段で表示する
ことを特徴とする請求項１に記載のテレビジョン受像機。
【請求項４】
前記入力手段が、
前記表示手段の表示画面に配置されたタッチパネルである
ことを特徴とする請求項１に記載のテレビジョン受像機。
【請求項５】
テレビジョン放送の番組をユーザーに提供していない期間の間、
受信チャンネルを順次、循環的に切り換えて、受信可能なチャンネルのサムネイル画像を取得し、
前記サムネイル画像による受信可能なチャンネルのメニューを表示し、
前記メニューの選択により、前記ユーザーに提供するテレビジョン放送の選択を受け付ける
ことを特徴とするテレビジョン放送の受信方法。
【発明の詳細な説明】
【技術分野】
【０００１】
本発明は、テレビジョン受像機及びテレビジョン放送の受信方法に関し、例えばテレビジョン放送の受信機能を有するカーナビゲーション装置、ＰＤＡ（Personal Digital Assistants ）等に適用することができる。本発明は、ユーザーに番組を提供していない期間の間、順次チャンネルを切り換えて受信可能なテレビジョン放送よりサムネイル画像を作成すると共に、このサムネイル画像によるメニューを表示してユーザーによるチャンネルの選択を受け付けることにより、移動体に搭載された場合等にあっても、所望する番組を簡易かつ確実に選択することができるようにする。
【背景技術】
【０００２】
従来、家庭用のテレビジョン受像機においては、放送エリアに応じて受信可能なテレビジョン放送局のサービスを事前に登録し、リモートコマンダー等の操作により、この登録したサービスを選択することにより、所望する放送局のサービスの番組を視聴できるようになされている。
【０００３】
これに対して衛星放送によるディジタル放送のテレビジョン受像機においては、データ放送に係るＥＩＴ（Event Information Table ）を取得することにより、ＥＰＧ（Electronic Program Guide）を表示して放送予定の番組をユーザーに通知できるようになされている。このようなＥＰＧによる放送予定の通知においては、例えば特開２０００−２２４５０４号公報に開示されているように、テキストを主体とした表示により実行され、ユーザーにおいては、このＥＰＧの表示を介して所望する番組を簡易かつ確実に選択できるようになされている。
【０００４】
ところで放送が予定される地上波ディジタル放送においては、車載装置によっても受信することができることにより、従来に比して、車載装置による番組の視聴が増大すると考えられる。しかしながらこのような車載装置においては、搭載された車両が放送エリアを跨いで移動する場合もあり、また移動中に番組を視聴する助手席、後部座席等の搭乗者が操作に不慣れな場合も考えられ、これにより所望する番組を簡易かつ確実に選択できない恐れがある。
【０００５】
また放送エリアを越えて移動した場合には、ユーザーの所在する放送エリアとは異なる時間帯により番組が放送される場合も考えられ、このような場合には、所望する番組を視聴できなくなる問題がある。
【０００６】
この問題を解決する１つの方法として、ＥＰＧにより番組を紹介する方法も考えられるが、放送エリアが変化する車載装置においては、移動先の放送エリアに係るＥＩＴを事前に取得することが困難であり、また表示画面が小さなことにより、実際上、適用できない欠点がある。
【特許文献１】特開２０００−２２４５０４号公報
【発明の開示】
【発明が解決しようとする課題】
【０００７】
本発明は以上の点を考慮してなされたもので、移動体に搭載された場合等にあっても、所望する番組を簡易かつ確実に選択することができるテレビジョン受像機及びテレビジョン放送の受信方法を提案しようとするものである。
【課題を解決するための手段】
【０００８】
係る課題を解決するため請求項１の発明においては、テレビジョン受像機に適用して、テレビジョン放送の番組をユーザーに提供していない期間の間、受信手段による受信チャンネルを順次、循環的に切り換えて、ビデオデータ処理手段において受信可能なチャンネルのサムネイル画像を取得し、表示手段にサムネイル画像による受信可能なチャンネルのメニューを表示し、入力手段によるメニューの選択により、対応するテレビジョン放送の番組のユーザーへの提供を開始するように、受信手段、表示手段、音声出力手段を制御する。
【０００９】
また請求項５の発明においては、テレビジョン放送の受信方法に適用して、テレビジョン放送の番組をユーザーに提供していない期間の間、受信チャンネルを順次、循環的に切り換えて、受信可能なチャンネルのサムネイル画像を取得し、サムネイル画像による受信可能なチャンネルのメニューを表示し、メニューの選択により、ユーザーに提供するテレビジョン放送の選択を受け付ける。
【００１０】
請求項１の構成により、テレビジョン放送の番組をユーザーに提供していない期間の間、受信手段による受信チャンネルを順次、循環的に切り換えて、ビデオデータ処理手段において受信可能なチャンネルのサムネイル画像を取得し、表示手段にサムネイル画像による受信可能なチャンネルのメニューを表示し、入力手段によるメニューの選択により、対応するテレビジョン放送の番組のユーザーへの提供を開始するように、受信手段、表示手段、音声出力手段を制御すれば、例えば車両に搭載して各地に移動して受信可能なチャンネルが種々に変化する場合であっても、ユーザーにおいては、サムネイル画像の表示により、現在、如何なる番組を視聴可能か判断することができ、またこのサムネイル画像によるメニューの選択により番組の視聴を開始することができ、これらにより所望する番組を簡易かつ確実に選択することができる。
【００１１】
これにより請求項５の構成によれば、所望する番組を簡易かつ確実に選択することができるテレビジョン放送の受信方法を提供することができる。
【発明の効果】
【００１２】
本発明によれば、移動体に搭載された場合等にあっても、所望する番組を簡易かつ確実に選択することができる。
【発明を実施するための最良の形態】
【００１３】
以下、適宜図面を参照しながら本発明の実施例を詳述する。
【実施例１】
【００１４】
（１）実施例の構成
図２は、本発明の実施例に係るカーナビゲーション装置を示すブロック図である。このカーナビゲーション装置１は、ディジタル地上波放送に係る番組をユーザーに提供し、またカーナビ部２より得られるナビゲーションに係る情報をユーザーに提供する。
【００１５】
すなわちこのカーナビゲーション装置１において、カーナビ部２は、システム制御部３の制御により、現在位置に係る地図、目的地までの道案内に供する地図等のビデオデータを生成してＯＳＤ（On Screen Display ）制御回路４に出力し、また道案内に係る音声信号等を生成して増幅回路５に出力する。
【００１６】
ＲＦ処理復調部６は、システム制御部３の制御により、アンテナ７で受信される放送波を選局して受信し、この受信した放送波を処理することによりディジタル放送に係るトランスポートストリームＳ１を出力する。この処理において、ＲＦ処理復調部６は、選局した放送波の電界強度を検出し、またトランスポートストリームＳ１のＣＮ比(Career Noise Ratio)を検出し、これら検出結果より受信状態を示すステイタス情報Ｄ１をシステム制御部３に通知する。これによりＲＦ処理復調部６は、システム制御部３において、受信を指示したチャンネルの受信状態をこのステイタス情報Ｄ１により判定できるようになされている。
【００１７】
ＴＳデコード部８は、ＲＦ処理復調部６から出力されるトランスポートストリームＳ１を映像ＰＥＳ（Program Elementary Stream ）、音声ＰＥＳに分解してそれぞれ映像デコード部９、音声デコード部１０に出力する。またデータ放送に係るデータＤ２をシステム制御部３に出力する。これらによりこのカーナビゲーション装置１において、ＲＦ処理復調部６、ＴＳデコード部８は、テレビジョン放送を受信してストリーミングデータによるビデオデータ及びオーディオデータを出力する受信手段を構成するようになされている。
【００１８】
音声デコード部１０は、この音声ＰＥＳをデコードして音声データを再生し、この音声データをディジタルアナログ変換処理して音声信号を出力する。増幅回路５は、システム制御部３の制御により、この音声デコード部１０から出力される音声信号、カーナビ部２から出力される音声信号によりスピーカ１２を駆動し、これによりこのカーナビゲーション装置１では、受信したテレビジョン放送の音声を視聴し、またカーナビ部２により道案内等を音声により確認できるようになされている。これにより増幅回路５、スピーカ１２は、テレビジョン放送のオーディオデータによる音声を出力する音声出力手段を構成するようになされている。
【００１９】
映像デコード部９は、ＴＳデコード部８から出力される映像ＰＥＳよりビデオデータをデコードする。映像デコード部９は、システム制御部３の制御により、テレビジョン放送の視聴時においては、このビデオデータをＯＳＤ制御回路４に出力する。またテレビジョン放送の視聴していない場合には、システム制御部３の制御によりデコードしたビデオデータの所定フレームについて、解像度を低減してメモリに記録することにより、このビデオデータより静止画によるサムネイル画像を生成する。またこのようにして生成したサムネイル画像を内蔵のメモリに順次循環的に記録して保持し、またこのようにして保持したサムネイル画像をシステム制御部３の制御によりＯＳＤ制御回路４に出力する。
【００２０】
映像デコード部９は、このサムネイル画像の作成において、映像ＰＥＳがＭＰＥＧ（Moving Picture Experts Group）２によるものの場合、Ｉピクチャーのデータを選択的に処理することにより、他のピクチャーに係る処理を省略し、その分、処理を簡略化するようになされている。なお映像ＰＥＳがＭＰＥＧ（Moving Picture Experts Group）４によるもの場合には、Ｉ−ＶＯＰ（Video Object Plane）を選択的に処理して、同様に処理を簡略化することができる。これにより映像デコード部９は、テレビジョン放送のビデオデータよりサムネイル画像を生成するビデオデータ処理手段を構成するようになされている。
【００２１】
ＯＳＤ制御回路４は、システム制御部３の制御により動作を切り換え、カーナビ部２、映像デコード部９から出力されるビデオデータにより、液晶表示装置等による表示部１３を駆動し、これによりテレビジョン放送による映像、カーナビゲーション処理に係る地図等を表示する。
【００２２】
この処理において、ＯＳＤ制御回路４は、システム制御部３の制御により、カーナビ部２による道案内等による地図を表示する場合に、表示部１３の表示可能エリアの一部領域に、カーナビ部２から出力されるビデオデータによる表示を形成し、また残る領域に、映像デコード部９から出力されるサムネイル画像による番組選択のメニューを表示する。
【００２３】
タッチパネル１４は、表示部１３の前面に設けられ、ユーザーによる操作をシステム制御部３に通知する。これらによりこのカーナビゲーション装置１において、表示部１３は、テレビジョン放送のビデオデータによる映像を表示する表示手段を構成し、タッチパネル１４は、この表示手段に表示したメニューの選択を受け付ける入力手段を構成するようになされている。
【００２４】
システム制御部３は、図示しないメモリに記録されたプログラムを実行するコンピュータであり、リモートコマンダー、操作子、タッチパネル１４の操作に応動してこのカーナビゲーション装置１全体の動作を制御する。すなわちシステム制御部３は、このカーナビゲーション装置１が搭載されている車両のキー操作によりこのカーナビゲーション装置１に対して電源の供給が開始されると動作を開始し、ユーザーによりテレビジョン放送の視聴が指示されるまでの間、さらにはユーザーによりテレビジョン放送の視聴が指示されている期間を除く期間の間、図３に示すサーチ処理手順の実行により、受信可能な放送波を検出し、この放送波による番組情報を取得する。
【００２５】
すなわちシステム制御部３は、この処理手順を開始すると、ステップＳＰ１からステップＳＰ２に移り、サーチ結果テーブルカウンタをリセットする。ここでこの実施例では、図４に示すように、このサーチ処理手順の実行により検出される番組情報をチャンネル毎に記録してサーチ結果テーブルを形成するようになされ、サーチ結果テーブルカウンタは、このサーチ結果テーブルにおける有意なデータ数を示すカウント値である。なお図４に示すように、サーチ結果テーブルは、各データを特定するテーブルＩＤ、特定放送局のサービスを特定するサービス名、番組を特定する番組名、番組の説明、サムネイル画像を保持してなる領域の先頭アドレス、サムネイル画像のデータサイズ、選局に供する受信周波数（チャンネル）、TMCC、PSIの選局に関する項目等による選局情報により構成され、これらの情報のうちサービス名、番組名、番組の説明に係る情報がＴＳデコード部８で受信されるデータ放送に係るデータより取得されるようになされている。
【００２６】
システム制御部３は、サーチ結果テーブルカウンタ等をリセットすると、ステップＳＰ３に移り、ＲＦ処理復調部６に受信チャンネルの可変を指示する。続いてシステム制御部３は、ステップＳＰ４に移り、ＲＦ処理復調部６から出力される受信状態を示すステイタス情報Ｄ１により受信状態は良好か否か判断する。ここでＲＦ処理復調部６で受信中のチャンネルに放送波が割り当てられていない場合、さらには受信される放送波の電界強度が微弱な場合等にあっては、このステップＳＰ４で否定結果が得られることにより、システム制御部３は、ステップＳＰ４からステップＳＰ３に戻る。これによりシステム制御部３は、ステップＳＰ３−ＳＰ４−ＳＰ３の処理手順を繰り返して順次受信チャンネルを可変し、受信状況の良好な放送波が受信されると、ステップＳＰ４で肯定結果が得られることにより、ステップＳＰ５に移る。
【００２７】
このステップＳＰ５において、システム制御部３は、ＴＳデコード部８を介して、トランスポートストリーム（ＴＳ）Ｓ１からＮＩＴ（Network Information Table ）を取得し、このＮＩＴから検出される選局情報をサーチ結果テーブルに設定する。また続くステップＳＰ６において、同様にしてＥＩＴ（Event Information Table ）（p/f ）を取得することにより、現在放送されている番組情報を取得する。なおここでこの実施例では、ＥＩＴ（p/f ）により現在放送されている番組についてのみ番組情報を取得し、取得に時間を要するＥＩＴ（scledule）については取得しないようにし、これにより処理に要する時間を短くするようになされている。
【００２８】
また続くステップＳＰ７において、ＰＡＴ（ Program Association Table）、ＰＭＴ（Program Map Table ）からＰＥＳの情報を取得し、この取得した情報により続くステップＳＰ８において、ＴＳデコード部８、映像デコード部９の動作を制御することにより、ＰＥＳから映像ＥＳ（Elementary Stream ）を取り出してビデオデータを復調させる。またこのビデオデータによりサムネイル画像の作成を指示し、このサムネイル画像を保持してなる先頭アドレス、データサイズを映像デコード部９から検出する。
【００２９】
システム制御部３は、この一連の処理で取得される番組情報、先頭アドレス、データサイズのデータをサーチ結果テーブルに記録し、続くステップＳＰ９において、現在、受信中のチャンネルと直前まで受信していたチャンネルとの間のチャンネルについて、サーチ結果テーブルに記録済のレコードが存在するか否か判断することにより、受信できなくなったサーチ結果テーブルの記録を検出し、この記録をサーチ結果テーブルより削除する。またこの削除の処理によりサーチ結果テーブルの各テーブルＩＤを必要に応じて更新し、またサーチ結果テーブルカウンタを更新する。またこのようにしてサーチ結果を削除する場合、対応するサムネイル画像の削除を映像デコード部９に指示する。
【００３０】
また続くステップＳＰ１０において、このようにして検出してなる受信情報等に係るチャンネルが、既にサーチ結果テーブルに登録済か否か判断し、ここで肯定結果が得られると、この登録済のデータを削除すると共に、それまでステップＳＰ５〜ステップＳＰ８に係る登録に係る処理を有効にすることにより、サーチ結果テーブルを最新の情報により更新し、ステップＳＰ３に戻る。これに対してステップＳＰ１０で否定結果が得られると、それまでの登録に係る処理を有効にするように、テーブルＩＤを登録し、またサーチ結果テーブルカウンタをインクリメントした後、ステップＳＰ３に戻る。
【００３１】
これによりシステム制御部３は、順次、受信可能な周波数帯域で受信チャンネルを切り換え、受信可能なチャンネルについて、現在放送されている番組に係る情報を取得するようになされている。またこの一連の処理の繰り返しにより、映像デコード部９に記録して保持した各番組のサムネイル画像を逐次更新して最新のサムネイル画像を保持するようになされている。
【００３２】
システム制御部３は、ユーザーによるキー操作により電源の供給が遮断されると、さらには後述する処理によりテレビジョン放送に係る番組をユーザーに提供する場合、この処理手順を終了する。またシステム制御部３は、ユーザーによりカーナビゲーションに係る処理が指示されると、カーナビ部２の動作を立ち上げ、ＯＳＤ制御回路４を介して各種メニューを表示部１３に表示し、ユーザーによる操作を受け付ける。またこのユーザーによる操作により、例えばユーザーが目的地までの道案内を指示すると、この道案内に係る表示等をカーナビ部２、ＯＳＤ制御回路４等に指示する。
【００３３】
このときシステム制御部３は、併せて、サーチ結果テーブルによる情報を表示するように、映像デコード部９、ＯＳＤ制御回路４の動作を制御する。すなわち図５は、この制御に係る表示部１３の表示画面１３Ａを示す平面図である。
【００３４】
この場合システム制御部３は、中央より右側に偏った箇所にて表示画面１３Ａを左右の領域に分割して、左側の面積の広い側にナビゲーションに係るメニュー、地図等を表示する。また右側の領域に、受信可能なチャンネルを選択するメニューＭ１〜Ｍ３、このメニューＭ１〜Ｍ３のスクロールのボタンＢ１、Ｂ２を表示する。システム制御部３は、矢印Ａに示すように、一定の時間間隔で、スクロールによりチャンネル選択のメニューＭ１〜Ｍ３の表示を自動的に切り換える。またタッチパネル１４を介して、このスクロールのボタンＢ１、Ｂ２が押圧操作されると、このような自動的なメニュー表示の切り換えを中止し、矢印Ｂにより示すように、操作された側のボタンＢ１又はＢ２に応じた方向によるスクロールによりチャンネル選択のメニューＭ１〜Ｍ３の表示を切り換える。
【００３５】
この実施例では、これらのメニューＭ１〜Ｍ３が、映像デコード部９に記録されたサムネイル画像、「ＮＨＫ」、「ＴＢＳ」等に係るサーチ結果テーブルに記録された対応するサービス名（アナログ放送で言うところのチャンネル名または放送局名である）、「バラ」、「キク」等に係る番組名を矩形の領域に表示して形成され、これにより所望する番組を簡易かつ確実に選択できるようになされている。
【００３６】
図６は、この図５に示すメニューＭ１〜Ｍ３の表示に係るシステム制御部３の処理手順を示すフローチャートである。システム制御部３は、ナビゲーションに係る表示がユーザーにより指示されると、この処理手順を開始する。これによりシステム制御部３は、図３について上述した処理手順と同時並列的に、この処理手順を実行する。すなわちシステム制御部３は、この処理手順を開始すると、ステップＳＰ２１からステップＳＰ２２に移り、サーチ結果テーブルにサービス名が登録されているか否か判断し、ここで否定結果が得られると、何らメニューＭ１〜Ｍ３、ボタンＢ１、Ｂ２の表示を指示することなく、ステップＳＰ２２を繰り返す。
【００３７】
これにより例えばこのカーナビゲーション装置１が動作を開始した直後であって、図３について上述した処理手順によっては未だサーチ結果テーブルにサービス名が登録されていない場合等において、このカーナビゲーション装置１では、表示画面１３Ａの右側領域に何らメニューＭ１等を表示しないようになされている。
【００３８】
これに対してサーチ結果テーブルにサービス名が登録された状態でこの処理手順を開始した場合、さらには図３の処理手順の実行により新たにサーチ結果テーブルにサービス名が登録された場合、システム制御部３は、ステップＳＰ２２で肯定結果が得られることにより、ステップＳＰ２２からステップＳＰ２３に移る。ここでシステム制御部３は、画面表示カウンタ、画面表示ポインタ、サーチ結果データ表示ポインタをそれぞれ値１にリセットする。ここで画面表示カウンタは、表示画面１３Ａに現在表示中のサービス名に係るメニュー数を示すカウンタである。画面表示ポインタは、表示画面１３Ａにおける表示位置を示すポインタであり、図５に示す例では、上方より順次表示箇所を指し示すようになされている。またサーチ結果データ表示ポインタは、サーチ結果テーブルの登録より表示中の登録を特定するポインタであり、この実施例では、テーブルＩＤ順にサービス名を表示して、表示されている最後のテーブルＩＤを特定するように設定されるようになされている。
【００３９】
このようにしてポインタ等を初期化すると、システム制御部３は、ステップＳＰ２３からステップＳＰ２４に移る。ここでシステム制御部３は、サーチ結果データ数が表示可能なメニューの数より大きいか否か判断し、否定結果が得られると、ステップＳＰ２４からステップＳＰ２５に移る。ここでシステム制御部３は、画面表示カウンタの値がサーチ結果データ数に一致するか否か判断することにより、サーチ結果テーブルに記録されたデータを全てメニュー表示しているか否か判断し、ここで否定結果が得られると、ステップＳＰ２５からステップＳＰ２６に移る。
【００４０】
ここでシステム制御部３は、画面表示ポインタにより指示される箇所に、サーチ結果データ表示ポインタにより指示されるテーブルＩＤに対応するメニューを表示する。具体的に、サーチ結果テーブルに記録された対応する先頭アドレス、データ量により対応するサムネイル画像の出力を映像デコード部９に指示し、またこのサムネイル画像、サーチ結果表示テーブルに記録されたサービス名、番組名によるメニューの作成、画面表示ポインタにより指示される領域への作成したメニューの表示をＯＳＤ制御回路４に指示する。
【００４１】
また続くステップＳＰ２７において、画面表示カウンタ、画面表示ポインタ、サーチ結果データ表示ポインタをインクリメントした後、ステップＳＰ２８に移り、サーチ結果テーブルに記録されたデータ数が減少したか否か判断し、否定結果が得られるとステップＳＰ２４に戻る。
【００４２】
これによりシステム制御部３は、サーチ結果テーブルに記録されたサービス数が３局以下の場合、順次、ステップＳＰ２４−ＳＰ２５−ＳＰ２６−ＳＰ２７−ＳＰ２８−ＳＰ２４の処理手順を繰り返し、このサービスに係るメニューを順次表示部１３に表示する。またこの場合、サーチ結果テーブルに記録されたサービス数の分だけメニューを表示すると、ステップＳＰ２５で否定結果が得られることにより、ステップＳＰ２５からステップＳＰ２８に移り、ステップＳＰ２４−ＳＰ２５−ＳＰ２８−ＳＰ２４の処理手順を繰り返す。これによりシステム制御部３は、サーチ結果テーブルに記録されたサービス数が３局以下の場合、このサービスに係るメニューを表示してこの処理手順を繰り返し、例えば車両の移動により受信状態が劣化してサーチ結果テーブルよりサービス（特定された放送局のサービスすべて）の記録が削除されると、ステップＳＰ２８で肯定結果が得られることにより、ステップＳＰ２２に戻り、改めてメニューの表示を開始する。なおシステム制御部３は、このようにサーチ結果テーブルに記録されたサービス数が３局以下であって、このサービスを全てメニューにより表示している場合には、スクロールのボタンＢ１、Ｂ２については表示しないように、ＯＳＤ制御回路４を制御するようになされている。
【００４３】
これに対してサーチ結果テーブルに記録されたサービス数が３局以上であって、表示可能なメニュー数を越えている場合、ステップＳＰ２４で肯定結果が得られることにより、システム制御部３は、ステップＳＰ２４からステップＳＰ３０に移り、メニューのスクロール処理を実行した後、ステップＳＰ２８に移る。これによりシステム制御部３では、受信可能なサービスの全てをメニューにより表示できない場合、順次、メニューをスクロールさせて表示するようになされている。
【００４４】
ここで図７は、このスクロール処理に係るシステム制御部３の処理手順を示すフローチャートである。システム制御部３は、この処理手順を開始すると、ステップＳＰ３１からステップＳＰ３２に移り、タイマのカウント値を判定することにより、スクロールに係る周期だけ時間が経過したか否か判断する。ここで否定結果が得られると、システム制御部３は、ＳＰ３２を繰り返し、これによりこの時間経過を待機した後、ステップＳＰ３３に移る。
【００４５】
このステップＳＰ３３において、システム制御部３は、最先に表示してなるメニューの表示中止、この表示中止による発生する空き領域への残るメニューの移動を映像デコード部９、ＯＳＤ制御回路４に指示し、これにより新たにメニューを表示する領域を確保する。また続くステップＳＰ３４において、サーチ結果データ表示ポインタをインクリメントした後、ステップＳＰ３５に移り、このサーチ結果データ表示ポインタがサーチ結果テーブルのデータ数を越えたか否か判断する。ここで肯定結果が得られると、システム制御部３は、ステップＳＰ３５からステップＳＰ３６に移り、サーチ結果データ表示ポインタを値１にリセットした後、ステップＳＰ３７に移る。これに対してステップＳＰ３５で否定結果が得られると、直接ステップＳＰ３７に移る。
【００４６】
このステップＳＰ３７において、システム制御部３は、画面表示ポインタにより指示される箇所に、サーチ結果データ表示ポインタにより指示されるテーブルＩＤに対応するメニューを表示する。具体的に、サーチ結果テーブルに記録された対応する先頭アドレス、データ量により対応するサムネイル画像の出力を映像デコード部９に指示し、またこのサムネイル画像、サーチ結果表示テーブルに記録されたサービス名、番組名によるメニューの作成、画面表示ポインタにより指示される領域への作成したメニューの表示をＯＳＤ制御回路４に指示する。
【００４７】
また続くステップＳＰ３８において、タイマをリセットした後、ステップＳＰ３９から元の処理手順に戻る。これによりシステム制御部３は、受信可能なサービス数がメニュー表示可能な数より多い場合、メニューのスクロールによりこれら受信可能なサービスに係るサムネイル画像、サービス名等を表示するようになされている。
【００４８】
またこのようにしてメニューを表示して、スクロールのボタンＢ１、Ｂ２が操作されると、このスクロールに係る処理手順と同様の処理手順の実行により、メニューをスクロールさせるようになされている。またこのようにして表示してなるサムネイル画像によるメニューがタッチパネル１４の操作によってユーザーにより選択されると、対応するテレビジョン放送を受信するように全体の動作を制御する。
【００４９】
すなわち図１は、このテレビジョン放送受信の処理に係るシステム制御部３の処理手順を示すフローチャートである。システム制御部３は、動作を開始すると、ステップＳＰ４２からステップＳＰ４２に移り、タッチパネル１４からユーザーによる操作のステイタスが通知されたか否か判断し、ここで否定結果が得られると、ステップＳＰ４２を繰り返す。またステップＳＰ４２で肯定結果が得られると、ステップＳＰ４２からステップＳＰ４３に移る。
【００５０】
このステップＳＰ４３において、システム制御部３は、図３について上述した処理を中止する。またサーチ結果テーブルの対応する記録より番組情報を検出し、この番組情報に係るチャンネルの選局をＲＦ処理復調部６に指示する。また続くステップＳＰ４４において、現在の表示部１３の表示状態を図示しないメモリに記録して保持し、続くステップＳＰ４５において、ＲＦ処理復調部６により選局されてなるテレビジョン放送の映像を表示部１３でフルサイズで表示するようＯＳＤ制御回路４の動作を制御する。また対応するオーディオデータによる音声の出力を増幅回路５等に指示し、ステップＳＰ４６に移ってこの処理手順を終了する。
【００５１】
これによりシステム制御部３は、図８（Ａ）及び（Ｂ）に示すように、ユーザーが選択したサムネイル画像による番組を受信するように全体の動作を制御し、この番組による映像を表示部１３で表示すると共に音声を出力し、この番組をユーザーに提供するようになされている。またシステム制御部３は、このようにして番組を表示し、ユーザーが短い時間間隔によりタッチパネル１４を２回操作すると、このような番組の提供を中止し、表示を元に戻す。
【００５２】
すなわち図９は、この表示の切り換えに係るシステム制御部３の処理手順を示すフローチャートである。システム制御部３は、この処理手順を開始すると、ステップＳＰ５１からステップＳＰ５２に移り、タッチパネル１４からユーザーによる操作のステイタスが通知されたか否か判断し、ここで否定結果が得られると、ステップＳＰ５３に移り、このタッチパネル１４の操作に係るタイマをリセットした後、ステップＳＰ５２に戻る。またステップＳＰ５２で肯定結果が得られると、ステップＳＰ５２からステップＳＰ５４に移り、このタイマをセットする。また続くステップＳＰ５５において、再び、タッチパネル１４からユーザーによる操作のステイタスが通知されたか否か判断し、ここで否定結果が得られるとステップＳＰ５３に移るのに対し、肯定結果が得られると、ステップＳＰ５５からステップＳＰ５６に移り、ステップＳＰ５４で設定したタイマの時間経過により、ステップＳＰ５２で検出されるタッチパネル１４の操作からステップＳＰ５５で検出されるタッチパネル１４の操作までが一定の時間間隔以下であったか否か判断する。
【００５３】
ここで否定結果が得られると、システム制御部３は、ステップＳＰ５６からステップＳＰ５３に移るのに対し、肯定結果が得られると、ステップＳＰ５６からステップＳＰ５７に移り、メモリに記録した表示状態の情報に基づいて、表示部１３の表示を元に戻す。また図３について上述したサーチ結果テーブルに係る処理を開始し、ステップＳＰ５８に移ってこの処理手順を終了する。
【００５４】
（２）実施例の動作
以上の構成において、このカーナビゲーション装置１では、電源が供給されていて、かつテレビジョン放送をユーザーに提供していない期間の間、システム制御部３の制御によりＲＦ処理復調部６で順次循環的に受信チャンネルが切り換えられ、各チャンネル毎に受信状態が検出され、これにより受信可能なテレビジョン放送が検出される。またこの受信可能なテレビジョン放送については、受信して得られるビデオデータよりサムネイルの画像が生成され、このサムネイルの画像が映像デコード部９に記録されて保持される。またこの放送に係る番組配列情報よりサービス名、番組名が検出され、システム制御部３に保持される。また受信困難となった放送については、これらの記録が削除される。カーナビゲーション装置１では、このようないわゆるバックグラウンドの処理が実行されて、現在、受信可能な放送の情報を、サービス名、番組名、番組のサムネイル画像によりサーチ結果テーブルに記録されて保持される。
【００５５】
また例えばユーザーがカーナビゲーションに係る処理を指示した場合には、このカーナビゲーションに係る表示と共に、このサーチ結果テーブルの記録に基づいて、受信可能なサービス名、番組名、サムネイル画像によるメニューが表示される。これによりユーザーにおいては、このメニューの表示により、例えば所在地とは異なる放送エリアに移動している場合でも、現在、何れの番組を視聴し得るか判断することができる。
【００５６】
しかしてカーナビゲーション装置１では、このメニューの選択により、カーナビゲーションに係る表示を中止して、このメニューに係る番組をユーザーに提供し、これによりユーザーにおいては、サムネイル画像によるメニューにより所望する番組を選択するだけの簡易な操作により所望する番組を簡易かつ確実に視聴することができる。
【００５７】
またカーナビゲーション装置１では、このような受信可能な放送局が多数存在する場合には、一定の時間間隔によりメニューをスクロールさせ、またユーザーによるスクロールのボタンＢ１、Ｂ２の操作によってもメニューをスクロールさせ、これらにより車載の限られた表示スペースにより番組の選択を受け付ける場合でも、所望する番組を確実に選択できるようになされている。
【００５８】
またサムネイル画像だけでなく、番組名、サービス名によってもメニューを表示することにより、映像だけでは番組を判断できないような場合でも、所望する番組を簡易かつ確実に選択することができ、これによりユーザーの使い勝手を向上するようになされている。
【００５９】
またこのようなメニューの選択にあっては、表示部１３に設けられたタッチパネル１４の操作により受け付けられ、これによりユーザーにおいては、メニューを押圧するだけの簡易な操作により所望する番組を簡易かつ確実に選択することができるようになされている。
【００６０】
（３）実施例の効果
以上の構成によれば、ユーザーに番組を提供していない期間の間、順次チャンネルを切り換えて受信可能なテレビジョン放送よりサムネイル画像を作成すると共に、このサムネイル画像によるメニューを表示してユーザーによるチャンネルの選択を受け付けることにより、移動体に搭載された場合等にあっても、所望する番組を簡易かつ確実に選択することができる。
【００６１】
また受信可能なチャンネルで受信される放送中の番組に係るデータより、サムネイル画像と共に番組名及び又はサービス名を表示してメニューを形成することにより、サムネイル画像だけでは番組を判断できないような場合でも、所望する番組を簡易かつ確実に選択することができ、これによりユーザーの使い勝手を向上することができる。
【００６２】
またこのようなメニューを、他の処理に係る表示であるカーナビゲーションの表示と共に表示することにより、他の処理を実行中の場合であっても、現在、受信可能な番組に係る情報をユーザーに提供し得、これにより所望する番組視聴の機会を逃さないようにすることができる。
【００６３】
またこのようなメニューの選択をタッチパネルにより受け付けることにより、ユーザーのメニュー選択操作を簡略化することができる。
【実施例２】
【００６４】
この実施例においては、テレビジョン放送の受信機能を有するＰＤＡに本発明を適用する。このＰＤＡにおいては、実施例１のテレビジョン受像機と同様に、いわゆるバックグラウンドにより受信可能なテレビジョン放送に係るサービス名、番組名、サムネイル画像を検出する。またこの検出結果により図１０に示すように、メニューを表示する。
【００６５】
ここでこのメニューの表示においては、表示画面の上側に、他の処理に係るスケジュール画面を表示し、表示画面の下側に、サムネイル画像、サービス名、番組名によるメニューＭ１〜Ｍ３を表示し、またスクロールのボタンＢ１、Ｂ２を表示する。また受信可能なチャンネルが多数存在する場合には、一定の時間間隔によりメニューをスクロールさせ、またボタンＢ１、Ｂ２の操作をこの表示画面に設けられたタッチパネルにより受け付け、メニューをスクロールさせる。またメニューの選択により、対応するテレビジョン放送の受信を開始して表示を切り換え、またユーザーによる操作に応動してこの図１０に示す表示に戻す。
【００６６】
この実施例のように、本発明をＰＤＡに適用しても、実施例１と同様の効果を得ることができる。
【実施例３】
【００６７】
なお上述の実施例においては、サムネイル画像と共に番組名、サービス名を表示する場合について述べたが、本発明はこれに限らず、必要に応じて番組名、放送局名を省略するようにしてもよく、またこれとは逆にさらに詳細な番組に係る情報を表示するようにしてもよい。
【００６８】
また上述の実施例においては、地上波ディジタル放送の受信に本発明を適用する場合について述べたが、本発明はこれに限らず、アナログ放送によるテレビジョン放送の受信等にも広く適用することができる。
【００６９】
また上述の実施例においては、本発明を車載用のテレビジョン受像機、ＰＤＡに適用する場合について述べたが、本発明はこれに限らず、テレビジョン放送の受信機能を有してなる携帯電話、パーソナルコンピュータ等、テレビジョン放送の受信機能を有してなる種々の電子機器に広く適用することができる。
【産業上の利用可能性】
【００７０】
本発明は、例えばテレビジョン放送の受信機能を有するカーナビゲーション装置、ＰＤＡ等に適用することができる。
【図面の簡単な説明】
【００７１】
【図１】本発明の実施例１に係るカーナビゲーション装置におけるシステム制御部の処理手順を示すフローチャートである。
【図２】本発明の実施例１に係るカーナビゲーション装置を示すブロック図である。
【図３】図２のシステム制御回路におけるサーチ処理手順を示すフローチャートである。
【図４】図２のカーナビゲーション装置におけるサーチ結果テーブルを示す図表である。
【図５】図２のカーナビゲーション装置における表示部の表示画面を示す平面図である。
【図６】図５に示すメニューＭ１〜Ｍ３の表示に係るシステム制御部の処理手順を示すフローチャートである。
【図７】スクロール処理に係るシステム制御部３の処理手順を示すフローチャートである。
【図８】サムネイル画像によるチャンネル選択に係る表示の切り換えを示す平面図である。
【図９】図８の表示の切り換えに係るシステム制御部３の処理手順を示すフローチャートである。
【図１０】本発明の実施例２に係るＰＤＡにおける表示画面を示す平面図である。
【符号の説明】
【００７２】
１……カーナビゲーション装置、２……カーナビ部、３……システム制御部、４……ＯＳＤ制御回路、９……映像デコード部、１３……表示部、１４……タッチパネル
【図１】
2005064994.tif 000003
【図２】
2005064994.tif 000004
【図３】
2005064994.tif 000005
【図４】
2005064994.tif 000006
【図５】
2005064994.tif 000007
【図６】
2005064994.tif 000008
【図７】
2005064994.tif 000009
【図８】
2005064994.tif 000010
【図９】
2005064994.tif 000011
【図１０】
2005064994.tif 000012